(57)【要約】【課題】適切な放送の選局を適切に行うことにより、受信品質が向上された受信装置を提供すること。【解決手段】第１の選局用受信部１１０、第２の選局用受信部２１０は、アナログ放送及びデジタル放送の複数の放送波のうち選局している放送を受信する。  第１のバックスキャン用受信部１２０、第２のバックスキャン用受信部２６０は、複数の放送波を順に受信する。受信評価部３００は、第１のバックスキャン用受信部１２０、第２のバックスキャン用受信部２６０で受信した放送波のうち、選局している放送波と同一のサービスＩＤを持つ放送波の受信品質の評価値である受信評価値を、放送波ごとに生成する。選局部１３０は、受信評価値を基に、前記同一のサービスＩＤを持つ前記複数の放送波から、選局する放送波を決定する。【選択図】図１
2017028425.tif 000002
【特許請求の範囲】
【請求項１】
アナログ放送及びデジタル放送の複数の放送波のうち選局している放送を受信する選局用受信部と、
前記複数の放送波を順に受信するバックスキャン用受信部と、
前記バックスキャン用受信部で受信した放送波のうち、前記選局している放送波と同一のサービスＩＤを持つ放送波の受信品質の評価値である受信評価値を、放送波ごとに生成する受信評価部と、
前記受信評価値を基に、前記同一のサービスＩＤを持つ前記複数の放送波から、選局する放送波を決定する選局部と
を有する受信装置。
【請求項２】
前記選局用受信部は、
複数のデジタル放送のうち選局している放送を受信する第１の前記選局用受信部と、
複数のアナログ放送のうち選局している放送を受信する第２の前記選局用受信部を有し、
前記バックスキャン用受信部は、
前記複数のデジタル放送波を順に受信する第１の前記バックスキャン用受信部と、
前記複数のアナログ放送波を順に受信する第２の前記バックスキャン用受信部と
を有する請求項１に記載の受信装置。
【請求項３】
前記受信評価部は、所定の時間間隔で、前回の受信評価値を基に新たな受信評価値を生成する
請求項１又は請求項２に記載の受信装置。
【請求項４】
前記受信評価部は、複数の評価項目により前記受信品質を評価し、前記評価項目のそれぞれについて前記受信評価値の増減値を求め、求められた増減値を前記受信評価値に加算又は減算することにより、前記受信評価値を更新する
請求項１〜請求項３のいずれかに記載の受信装置。
【請求項５】
前記受信評価部は、所定の放送波についての前記受信評価値が一定の値を下回った場合に、前記受信評価値をさらに下げる
請求項４に記載の受信装置。
【請求項６】
前記受信評価値は、各放送波について共通の上限値と下限値の範囲内で求められ、
前記受信評価部は、前記増減値を加算することで前記上限値を上回るときは、前記受信評価値は前記上限値と同一とし、前記増減値を減算することで前記下限値を下回るときは、前記受信評価値は前記下限値と同一とする
請求項４に記載の受信装置。
【請求項７】
前記受信評価部は、アナログ放送についての受信評価値とデジタル放送についての受信評価値をそれぞれ異なる基準で求める一方、いずれの受信評価値も共通の上限値と下限値の範囲内とする
請求項１〜請求項６のいずれかに記載の受信装置。
【請求項８】
前記選局部は、アナログ放送についての受信評価値とデジタル放送についての受信評価値を比較し、アナログ放送についての受信評価値の方が大きい場合はアナログ放送の放送波を選局し、デジタル放送についての受信評価値の方が大きい場合はデジタル放送の放送波を選局する
請求項７に記載の受信装置。
【請求項９】
アナログ放送及びデジタル放送の複数の放送波のうち選局している放送を受信する第１のステップと、
前記複数の放送波を順に受信する第２のステップと、
前記第２のステップで受信した放送波のうち、前記選局している放送波と同一のサービスＩＤを持つ放送波の受信品質の評価値である受信評価値を、放送波ごとに生成する第３のステップと、
前記受信評価値を基に、前記同一のサービスＩＤを持つ前記複数の放送波から、選局する放送波を決定する第４のステップと
を有する受信方法。
【請求項１０】
アナログ放送及びデジタル放送の複数の放送波のうち選局している放送を受信する第１のステップと、
前記複数の放送波を順に受信する第２のステップと、
前記第２のステップで受信した放送波のうち、前記選局している放送波と同一のサービスＩＤを持つ放送波の受信品質の評価値である受信評価値を、放送波ごとに生成する第３のステップと、
前記受信評価値を基に、前記同一のサービスＩＤを持つ前記複数の放送波から、選局する放送波を決定する第４のステップと
を受信装置のコンピュータに実行させるコンピュータプログラム。
【発明の詳細な説明】
【技術分野】
【０００１】
本発明は、デジタルオーディオ放送と、ラジオデータシステム放送の双方を受信可能なラジオ放送の受信装置に関するものである。
【背景技術】
【０００２】
近年デジタルオーディオ放送が広く用いられるようになってきており、特に欧州ではＤＡＢ（ＤｉｇｉｔａｌＡｕｄｉｏＢｒｏａｄｃａｓｔｉｎｇ）と呼ばれるデジタル放送が採用されている。その一方で、ＦＭ／ＡＭ放送も従来通り利用されており、両者を切り替えて受信する受信装置が利用されている。
【０００３】
特にＦＭラジオ放送においては、ＲＤＳ（ＲａｄｉｏＤａｔａＳｙｓｔｅｍ）サービスが用いられている。ＲＤＳとは、ＦＭラジオ放送の帯域内に補助データを挿入して提供するサービスであり、例えば交通情報などに用いられている。このＲＤＳにより放送している番組の内容を特定する情報が流され、受信装置側でもどの番組であるかをデータで特定することができる。
【０００４】
ＤＡＢ放送とＦＭラジオ放送は併用されているとともに、両者で同じ番組を放送することも多く行われている。そして、ＤＡＢ放送の受信品質が高いときにはＤＡＢ放送を受信し、ＤＡＢ放送の受信品質が低いときにはＦＭラジオ放送を受信するという切り替えも可能である。ＤＡＢ放送はデジタル放送であるから番組を特定する情報が含まれており、一方でＦＭ放送についてもＲＤＳにより番組を特定することが可能であることから、両者をデータベースによって管理し、データベースを参照することにより、同一の番組を特定することによって番組の切り替えをすることが技術的に可能である。例えば特許文献１では、ＤＡＢ放送のＢＥＲのみを基準として、ＤＡＢ放送と同一放送のＲＤＳとを切り替える点が開示されている。
【先行技術文献】
【特許文献】
【０００５】
【特許文献１】特表２０１４−５２３１５３号公報
【発明の概要】
【発明が解決しようとする課題】
【０００６】
しかしながら特許文献１では、放送の切り替えの判断基準としてＤＡＢ放送のＢＥＲ（ＢｉｔＥｒｒｏｒＲａｔｅ）のみを用い、ＦＭ放送側については何ら考慮していなかった。また、デジタル放送においても考慮しているのはＢＥＲのみであって、他の通信に関する指標は特に用いられていなかった。その結果、ＤＡＢ放送とＦＭ放送を比較したときに本来は通信品質が高く信頼性が高い放送を、適切に選択していなかった。また、特定の基準で直ちに放送を切り替えていたため、両者の受信品質が接近しているような場合には、頻繁な切り替えが起こるという問題があった。
【０００７】
聴取者にとっては、まず頻繁な放送の切り替えが起こることで音飛びなどの聴取品質の低下が起こり、さらに切り替えの判断基準自体も正確でないことから、品質が高い側の放送を受信できないことから、全体として、受信装置の受信品質にさらなる改善の余地があった。
【０００８】
本発明はかかる事情に鑑みてなされたものであり、その目的は、適切な放送の選局を適切に行うことにより、受信品質が向上された受信装置を提供することにある。
【課題を解決するための手段】
【０００９】
本発明に係る受信装置は、アナログ放送及びデジタル放送の複数の放送波のうち選局している放送を受信する選局用受信部と、前記複数の放送波を順に受信するバックスキャン用受信部と、前記バックスキャン用受信部で受信した放送波のうち、前記選局している放送波と同一のサービスＩＤを持つ放送波の受信品質の評価値である受信評価値を、放送波ごとに生成する受信評価部と、前記受信評価値を基に、前記同一のサービスＩＤを持つ前記複数の放送波から、選局する放送波を決定する選局部とを有する。
【００１０】
この構成によれば、アナログ放送及びデジタル放送の複数の放送波ごとに受信評価値が求められ、受信評価値を基に選局するので、デジタル放送のみならずアナログ放送についても受信品質が評価される。アナログ放送及びデジタル放送の両方の評価に基づいて選局されるので、高い品質で受信できる放送波を決定することができるとともに、安定した選局の切り替えを実現することができる。
【００１１】
好適には、前記選局用受信部は、複数のデジタル放送のうち選局している放送を受信する第１の前記選局用受信部と、複数のアナログ放送のうち選局している放送を受信する第２の前記選局用受信部を有し、前記バックスキャン用受信部は、前記複数のデジタル放送波を順に受信する第１の前記バックスキャン用受信部と、前記複数のアナログ放送波を順に受信する第２の前記バックスキャン用受信部を有する。
【００１２】
この構成によれば、所定のデジタル放送について第１の前記選局用受信部と第１の前記バックスキャン用受信部により、選局している放送の受信とバックスキャンとしての受信をともに行うことができ、所定のアナログ放送について第２の前記選局用受信部と第２の前記バックスキャン用受信部により、選局している放送の受信とバックスキャンとしての受信をともに行うことができる。したがって、デジタル放送とアナログ放送のそれぞれについて、バックスキャンによる受信品質の評価を行いつつ、選局している放送の受信を並行して行うことができる。
【００１３】
好適には、前記受信評価部は、所定の時間間隔で、前回の受信評価値を基に新たな受信評価値を生成する。
【００１４】
この構成によれば、新たな受信評価値の生成に前回の受信評価値が反映されるので、受信評価値が安定し、選局の切り替えが不安定になるのを防ぐことができる。
【００１５】
好適には、前記受信評価部は、複数の評価項目により前記受信品質を評価し、前記評価項目のそれぞれについて前記受信評価値の増減値を求め、求められた増減値を前記受信評価値に加算又は減算することにより、前記受信評価部を更新する。
【００１６】
この構成によれば、単一の評価項目ではなく、評価項目を複合的に用いることにより、受信評価値を求めるので、受信評価値の算出精度が上がり、高い品質で受信できる放送波を決定することができる。
【００１７】
好適には、前記受信評価部は、所定の放送波についての前記受信評価値が一定の値を下回った場合に、前記受信評価値をさらに下げる。
【００１８】
この構成によれば、受信評価値が一定の値を下回った場合には、その一定の値よりもさらに下の値となるので、その後受信評価値が増加してもその一定の値に戻るまでに時間がかかり、その結果、比較対象となる受信評価値を上回るまでに時間がかかるので、選局の切り替えが頻繁に起こることを防止することができる。
【００１９】
好適には、前記受信評価値は、各放送波について共通の上限値と下限値の範囲内で求められ、前記受信評価部は、前記増減値を加算することで前記上限値を上回るときは、前記受信評価値は前記上限値と同一とし、前記増減値を減算することで前記下限値を下回るときは、前記受信評価値は前記下限値と同一とする。
【００２０】
この構成によれば、受信評価値に上下の幅を設け、上限の値以上には増加させず、下限の値以下には減少させないので、複数の放送波のそれぞれで比較可能となるような受信評価値を生成し、比較可能とし、高い品質で受信できる放送波を選択することができる。
【００２１】
好適には、前記受信評価部は、アナログ放送についての受信評価値とデジタル放送についての受信評価値をそれぞれ異なる基準で求める一方、いずれの受信評価値も共通の上限値と下限値の範囲内とする。
【００２２】
この構成によれば、アナログ放送とデジタル放送では本来品質を判断する基準が異なるところ、受信評価値の上限値と下限値を一致させて幅を共通化させることにより両者を比較可能とし、高い品質で受信できる放送波を選択することができる。
【００２３】
好適には、前記選局部は、アナログ放送についての受信評価値とデジタル放送についての受信評価値を比較し、アナログ放送についての受信評価値の方が大きい場合はアナログ放送の放送波を選局し、デジタル放送についての受信評価値の方が大きい場合はデジタル放送の放送波を選局する。
【００２４】
この構成によれば、範囲が共通化された受信評価値をアナログ放送とデジタル放送の間で比較することにより、高い品質で受信できる放送波を選択することができる。
【００２５】
好適な受信方法は、アナログ放送及びデジタル放送の複数の放送波のうち選局している放送を受信する第１のステップと、前記複数の放送波を順に受信する第２のステップと、前記第２のステップで受信した放送波のうち、前記選局している放送波と同一のサービスＩＤを持つ放送波の受信品質の評価値である受信評価値を、放送波ごとに生成する第３のステップと、前記受信評価値を基に、前記同一のサービスＩＤを持つ前記複数の放送波から、選局する放送波を決定する第４のステップとを有する。
【００２６】
好適なコンピュータプログラムは、アナログ放送及びデジタル放送の複数の放送波のうち選局している放送を受信する第１のステップと、前記複数の放送波を順に受信する第２のステップと、前記第２のステップで受信した放送波のうち、前記選局している放送波と同一のサービスＩＤを持つ放送波の受信品質の評価値である受信評価値を、放送波ごとに生成する第３のステップと、前記受信評価値を基に、前記同一のサービスＩＤを持つ前記複数の放送波から、選局する放送波を決定する第４のステップと、を受信装置のコンピュータに実行させる。
【発明の効果】
【００２７】
本発明によれば、適切な放送の選局を適切に行うことにより、受信品質が向上された受信装置を提供することができる。
【図面の簡単な説明】
【００２８】
【図１】本発明の実施の形態にかかる受信装置を説明するブロック図である。
【図２】本発明の実施の形態にかかる受信評価値について説明する図である。
【図３】本発明の実施の形態にかかる受信評価値算出の全体処理の流れを示すフローチャートである。
【図４】本発明の実施の形態にかかるデジタルラジオの受信評価値更新処理を説明するフローチャートである。
【図５】本発明の実施の形態にかかるアナログラジオの受信評価値更新処理を説明するフローチャートである。
【図６】本発明の実施の形態にかかる選局処理を説明するフローチャートである。
【発明を実施するための形態】
【００２９】
図１は、本発明の実施の形態にかかる受信装置を説明するブロック図である。この実施の形態にかかる受信装置は、デジタル放送を受信する第１の受信部１００と、アナログ放送及びＲＤＳを受信する第２の受信部２００と、受信評価部３００と、オーディオ出力部３６０を備える。
【００３０】
第１の受信部１００は、複数のデジタル放送のうち選局している放送を受信する第１の選局用受信部１１０と、複数のデジタル放送波を順に受信する第１のバックスキャン用受信部１２０と、選局部１３０を備える。
【００３１】
第１の受信部１００は、アンテナ１０１から受信されるＤＡＢ放送を受信する。受信したＤＡＢ放送は、チューナー１１１とチューナー１１２にそれぞれ送られる。チューナー１１１とチューナー１１２はともに、局部発振器、混合器、フィルタ、Ａ／Ｄ変換器を備えることで、受信した放送を受信後、アナログ信号をデジタル信号に処理する。フィルタは、アンチエイリアシング及びイメージ除去に用いられる。
【００３２】
第１の選局用受信部１１０は、複数のデジタル放送のうち選局している放送を受信する一方、第１のバックスキャン用受信部１２０は、特定の放送を選局せず、複数のデジタル放送波を順に受信する。第１のバックスキャン用受信部１２０は、複数の放送を同時に処理できるわけではないので、一定の時間おきに受信対象となる放送の周波数等を切り替えながら受信し、そのうちのＲＤＳ信号に基づく受信結果を、後述する受信評価部３００に送る。
【００３３】
処理部１１２と処理部１２２はともに復調器、ＤＡＢデコーダを備え、それぞれチューナー１１１とチューナー１２１からそれぞれ送られた信号を、復調器、ＤＡＢデコーダを介して処理し、選局部１３０に送る。
【００３４】
選局部１３０は選局処理を行う。選局は第１の選局用受信部１１０の時点でも行っているが、第２の受信部２００からも放送信号が送られてくるので、選局部１３０は、受信評価部３００から送られてくる信号を基に、どちらの信号を選択して音声出力するかどうかを判定する。選局部１３０は特に、受信評価部３００から送られてくる受信評価値を基に、同一のサービスＩＤを持つ複数の放送波から、選局する放送波を決定する。
ここで、同一の内容の放送には同じサービスＩＤが付されている。すなわち、同一の内容の放送が複数の放送波（局）で行われている。
【００３５】
その一方で、音声出力については第１の受信部１００によるものと第２の受信部２００によるものとを切り替える都合上、単純に切り替える場合には、タイミングのずれなどが生じる可能性がある。またタイミング自体は一致していても不自然な切れ目で切り替えるのは適切でない場合も多い。選局部１３０は、第１の受信部１００からの音声出力と第２の受信部２００からの音声出力をそれぞれタイミングを測定して適切な時点での音声切り替えを実行する。
【００３６】
第２の受信部２１０は、複数のアナログ放送のうち選局している放送を受信する第２の選局用受信部２００と、複数のアナログ放送波を順に受信する第２のバックスキャン用受信部２６０を備える。
【００３７】
第２の受信部２００は、アンテナ２０１から受信されるＦＭ／ＡＭ放送、及びアンテナ２０２から受信されるＦＭ放送を受信する。アンテナ２０１から受信されるＦＭ／ＡＭ放送は第２の選局用受信部２１０に送られ、アンテナ２０２から受信されるＦＭ放送は第２の選局用受信部２１０と、第２のバックスキャン用受信部２６０にそれぞれ送られる。
【００３８】
アンテナ２０２から受信したＦＭ放送は、チューナー２１３とチューナー２６１にそれぞれ送られる。チューナー２１１、チューナー２１３とチューナー２６１はいずれも、局部発振器、混合器、フィルタ、Ａ／Ｄ変換器を備え、受信した放送を受信後、アナログ信号をデジタル信号に処理する。フィルタは、アンチエイリアシング及びイメージ除去に用いられる。
【００３９】
第２の選局用受信部２１０は、複数のＦＭ放送のうち選局している放送を受信する一方、第２のバックスキャン用受信部２６０は、特定の放送を選局せず、複数のデジタル放送波を順に受信する。第２のバックスキャン用受信部２６０は、複数の放送を同時に処理できる訳ではないので、一定の時間おきに受信対象となる放送の周波数等を切り替えながら受信し、そのうちのＲＤＳ信号に基づく受信結果を、後述する受信評価部３００に送る。
【００４０】
処理部２１２は、ダイバーシティ回路、アナログ復調器、ＲＤＳ復調器／デコーダ、ラジオ規格エミュレータを備える。ダイバーシティ回路で、チューナー２１１、チューナー２１３から送られてきたＦＭ放送のうち受信状態が良い電波を選択的に受信し、アナログ復調器、ＲＤＳ復調器／デコーダ、ラジオ規格エミュレータを介して信号を処理し、選局部１３０及びオーディオ処理部２０４、受信評価部３００に送る。
【００４１】
処理部２６２は、アナログ復調器、ＲＤＳ復調器／デコーダ、ラジオ規格エミュレータを備え、これらを介して信号を処理し、受信評価部３００に送る。オーディオ処理部２０４は、選局部１３０から送られてきた放送信号を音声出力に変換し、オーディオ出力部３６０に送る。オーディオ出力部３６０は、スピーカなどにより音声出力を再生する。
【００４２】
また第１の選局用受信部１１０、第１のバックスキャン用受信部１２０、第２の選局用受信部２００、第２のバックスキャン用受信部２６０については、別の組み合わせとしてとらえることができる。すなわち、第１の選局用受信部１１０と第２の選局用受信部２００については、アナログ放送及びデジタル放送の複数の放送波のうち選局している放送を受信する選局用受信部とすることができる。また、第１のバックスキャン用受信部１２０と第２のバックスキャン用受信部２６０については、前記複数の放送波を順に受信するバックスキャン用受信部とすることができる。
【００４３】
受信評価部３００は、バックスキャン用受信部（第１のバックスキャン用受信部１２０、第２のバックスキャン用受信部２６０）で受信した放送波のうち、選局している放送波と同一のサービスＩＤを持つ放送波の受信品質の評価値である受信評価値を、放送波ごとに生成する。詳細な構成については図２を参照して説明する。
【００４４】
図２は、受信評価値について説明する図である。受信評価部３００は、第１のバックスキャン用受信部１２０で受信したデジタル放送に含まれる受信品質情報４００と、第２のバックスキャン用受信部２６０で受信した受信品質情報４１０を生成し、受信品質情報４００及び受信品質情報４１０に基づいて受信評価情報４２０を生成する。そして、受信評価情報４２０に基づく受信評価値（信頼度）を第１の受信部１００及び第２の受信部２００に送り、選局部１３０で選局処理を行う。
【００４５】
受信評価部３００は、ＤＡＢ制御部３１０と、ＦＭ／ＡＭ制御部３２０と、バックスキャン制御部３３０と、データベース管理部３４０と、データベース３５０とを備える。ＤＡＢ制御部３１０は、第１の受信部１００から送られてきたＤＡＢ放送の品質に関する情報を受信し、受信品質情報４００を生成してデータベース管理部３４０に送る。バックスキャン制御部３３０は、第２のバックスキャン用受信部２６０から送られてきた、ＲＤＳに含まれるＦＭ放送の品質に関する情報を受信し、受信品質情報４１０を生成してデータベース管理部３４０に送る。
【００４６】
ＤＡＢ制御部３１０は、第１の受信部１００との間でＳＰＩ通信を行う。ＤＡＢ制御部３１０は、ＳＰＩ通信により第１の選局用受信部１１０に対してコマンドを発行して情報を取得する。これにより、ＤＡＢ制御部３１０は、Ｓ／Ｎ、ＢＥＲ等のオーディオ信号品質に関する情報を取得する。
【００４７】
またＤＡＢ制御部３１０は、ＳＰＩ通信により第１のバックスキャン用受信部１２０に対して選局ごとにコマンド処理により情報を取得する。すなわちバックスキャンにより１チャンネルごとに選局を行い、ＥＩＤ、ＳＩＤ等のサービス情報を取得し、周波数、Ｓ／Ｎ、ＢＥＲ等の信号品質に関する情報を取得する。これにより得られる受信品質情報４００は、サービスＩＤごとに受信周波数、Ｓ／Ｎ（ＳＮＲ）、ＢＥＲ（ＦＩＣＢＥＲ）、シームレスリンクの時間差、シームレス時間差の検出時間を含む。受信品質情報４００は、サービスＩＤごとに受信品質に関する情報を並べる。
【００４８】
Ｓ／Ｎは信号のノイズ比であるが、中心周波数の信号強度(電界強度：ＲＳＳＩ)と周波数帯域の端から少しだけ離れたところの周波数の信号強度の比とする。周波数帯域の端から少しだけ離れたところは、放送波が無いはずの周波数で、受信するチャンネルに近い周波数となる。ＢＥＲは、Bit Error Rate(Ratio)の略で、符号誤り率である。データストリームは、ヘッダ部と実データ部の２種類に大きく分けられ、ＦＩＣＢＥＲは、デジタル放送のデータストリーム中のヘッダ部のエラーレートである。
【００４９】
ＦＭ／ＡＭ制御部３２０とバックスキャン制御部３３０は、第２の受信部２００との間でＩＩＣ通信を行う。ＦＭ／ＡＭ制御部３２０は、ＩＩＣ通信により第２の選局用受信部２１０に対してコマンドを発行して情報を取得する。これにより、ＦＭ／ＡＭ制御部３２０は、Ｓ／Ｎ、ＢＥＲ等のオーディオ信号品質に関する情報を取得する。
【００５０】
またバックスキャン制御部３３０は、ＩＩＣ通信により第２のバックスキャン用受信部２６０に対して選局ごとにコマンド処理により情報を取得する。すなわちバックスキャンにより１チャンネルごとに選局を行い、ＰＩを含む、ＲＤＳ等のサービス情報を取得し、周波数、ＲＳＳＩ等の信号品質に関する情報を取得する。これにより得られる受信品質情報４１０は、サービスＩＤごとに周波数、ＲＳＳＩ、ＲＤＳＰＩ取得に関する情報を含む。受信品質情報４１０は、サービスＩＤごとに受信品質に関する情報を並べる。
【００５１】
受信品質情報４００は第１の受信部１００から送られてきたものであるので、ＤＡＢ放送に関する放送品質であり、受信品質情報４１０は第２の受信部２００から送られてきたものであるので、ＦＭ放送に関する放送品質であることから、図２に示すようにそれぞれ異なる基準に基づく情報である。この異なる基準の情報がデータベース管理部３４０に送られ、データベース管理部３４０が、共通なデータの基準として再構築して受信評価情報４２０を生成する。受信評価情報４２０はデータベース３５０に格納される。
【００５２】
受信評価情報４２０は、サービスＩＤごとに、受信評価値の順に並べられる。つまり、受信評価値が最も高いサービスが１番目に並べられ、受信評価値が次の値を取るサービスが次の順番となり、受信評価値が最も低いサービスが一番下に並べられる。このように受信評価値の順に受信評価情報４２０を並べておくことにより、常にデータベース３５０の一番上を確認することにより、比較時の処理負担を必要とせずに再生切り替えを行うことができる。
【００５３】
受信評価情報４２０は、受信品質情報４００に含まれる項目と、受信品質情報４１０に含まれる項目を両方とも含む。したがってＤＡＢ放送には含まれない項目については空欄となり、ＦＭ放送には含まれない項目については空欄となる。これらの各項目について判定処理を行い重みづけをした上で、受信評価値を算出する。したがって受信評価値は、選局している放送波と同一のサービスＩＤを持つ放送波の放送波ごとの受信品質の評価値であり、言い換えると受信評価値は所定の放送波の受信に対する信頼度である。
【００５４】
データベース管理部３４０は、受信評価情報４２０を生成、更新するとともに、その中に含まれる受信評価値を生成、更新する。ＤＡＢ制御部３１０は受信評価値を第１の受信部１００に送り、ＦＭ／ＡＭ制御部３２０は、受信評価値を第２の受信部２００に送る。
【００５５】
第１のバックスキャン用受信部１２０、第２のバックスキャン用受信部２６０は、様々なサービスの放送波を切り替えながら受信しており、受信している放送波の各サービスはサービスＩＤによって管理されている。このサービスＩＤは、第１のバックスキャン用受信部１２０ではデジタル放送に含まれる情報として、第２のバックスキャン用受信部２６０ではＲＤＳに含まれる情報として、受信される。同一のサービスＩＤについては同一内容の放送であるから聴取者にとっては同じ放送となるが、複数のチャネルによって放送されているので、同一のサービスＩＤでありながら異なるチャネルの放送波が選局部１３０によって切り替えられる。この切り替え判定のために受信評価値が用いられており、受信評価部３００は、受信評価値を放送波ごとに求める。
【００５６】
受信評価値は０−１５の範囲で与えられ、この範囲は、第１の受信部１００で受信されるデジタル放送であっても、第２の受信部２００で受信されるＦＭ放送であっても同じである。そして、値は大きくなるほど受信すべき信頼度が高いということになり、受信評価値が１５であれば最も信頼性が高く、０であれば最も信頼性が低い。すなわち受信評価値は、アナログ放送についての受信評価値とデジタル放送についての受信評価値をそれぞれ異なる基準で求める一方、いずれの受信評価値も各放送波について共通の上限値１５と下限値０の範囲内で求める。受信評価部３００は、増減値を加算することで上限値１５を上回るときは、受信評価値は上限値１５と同一とし、増減値を減算することで下限値０を下回るときは、受信評価値は下限値０と同一とする。
【００５７】
受信評価部３００は、所定の時間間隔で、前回の受信評価値を基に新たな受信評価値を生成する。受信評価部３００は、受信品質情報４００、受信品質情報４１０に示される複数の評価項目により受信品質を評価して、評価項目のそれぞれについて受信評価値の増減値を求め、求められた増減値を受信評価値に加算又は減算することにより、受信評価値、受信評価情報４２０を更新する。
【００５８】
以上の受信評価値に基づき、選局部１３０は選局処理を行う。選局部１３０は、アナログ放送の放送波についての受信評価値とデジタル放送の放送波についての受信評価値を比較し、アナログ放送の放送波についての受信評価値の方が大きい場合はアナログ放送の放送波を選局し、デジタル放送の放送波についての受信評価値の方が大きい場合はデジタル放送の放送波を選局する。以上の受信評価値の算出処理について、図３−図６を参照して説明する。
【００５９】
図３は、受信評価値算出の全体処理の流れを示すフローチャートである。データベース管理部３４０は、まず受信評価値の初期設定を行う（ステップＳ１０）。すなわち、受信評価値を初期値として７に設定する。次に、受信評価値を更新する（ステップＳ１１）。そのためにサービス検出処理を行い、デジタルラジオ信号検出がオンかオフを判定する。デジタルラジオ検出がオンの場合、デジタルラジオ（すなわちＤＡＢ放送）の受信評価値を更新し（ステップＳ１２）、デジタルラジオ検出がオフの場合、アナログラジオ（すなわちＦＭ放送）の受信評価値を更新する（ステップＳ１３）。
【００６０】
図４は、デジタルラジオの受信評価値更新処理を説明するフローチャートである。図３のデジタルラジオの受信評価値を更新のとき（ステップＳ１２）、データベース管理部３４０は、再生サービスと同一のサービスＩＤであるか、再生しているラジオのサービスＩＤと、データベース３５０の所定のサービスＩＤが同一であるか否かを判定する。同一でない場合は、他の項目についての処理に移行する。
【００６１】
同一ＩＤであると判定された場合、Ｓ／Ｎが閾値以上の値であるか否かを判定する（ステップＳ２１）。Ｓ／Ｎが閾値以上の値でないと判定された場合、受信評価値の値を２下げる（ステップＳ２２）。そして、受信評価値が７より大きいか否かを判定し、７より大きい場合はさらに受信評価値を１下げて、受信評価値が７以下の場合は、受信評価値を０にする。
【００６２】
このように受信評価部３００は、所定の放送波についての受信評価値が一定の値（＝７）を下回った場合に、受信評価値をさらに下げる。それにより、受信評価値が一定の値を下回った場合には、その一定の値よりもさらに下の値となるので、その後受信評価値が増加してもその一定の値に戻るまでに時間がかかり、その結果、比較対象となる受信評価値を上回るまでに時間がかかるので、選局の切り替えが頻繁に起こることを防止することができる。
【００６３】
Ｓ／Ｎが閾値以上の値と判定された場合、ＦＩＣＢＥＲが閾値以下の値であるか否かを判定する（ステップＳ２３）。ＦＩＣＢＥＲが閾値以下の値であると判定された場合、受信評価値を２加える（ステップＳ２４）。そして、受信評価値が１５より大きくなるか否かを判定し、１５より大きくなる場合は受信評価値を１５とする。
【００６４】
ＦＩＣＢＥＲが閾値以下の値でないと判定された場合、受信評価値を１加える（ステップＳ２５）。そして、受信評価値が１５より大きくなるか否かを判定し、１５より大きくなる場合は受信評価値を１５とする。このように、Ｓ／ＮとＦＩＣＢＥＲの値に基づき、デジタルラジオの受信評価値の更新処理を行う。
【００６５】
図５は、アナログラジオの受信評価値更新処理を説明するフローチャートである。図３のアナログラジオの受信評価値を更新のとき（ステップＳ１３）、データベース管理部３４０は、再生サービスと同一のサービスＩＤであるか、再生しているラジオのサービスＩＤと、データベース３５０の所定のサービスＩＤが同一であるか否かを判定する。同一でない場合は、他の項目についての処理に移行する。
【００６６】
同一ＩＤであると判定された場合、ＲＳＳＩが閾値以上の値であるか否かを判定する（ステップＳ３１）。Ｓ／Ｎが閾値以上の値でないと判定された場合、受信評価値の値を２下げる（ステップＳ３２）。そして、受信評価値が７より大きいか否かを判定し、７より大きい場合はさらに受信評価値を１下げて、受信評価値が７以下の場合は、受信評価値を０にする。
【００６７】
このように受信評価部３００は、アナログ放送についても所定の放送波についての受信評価値が一定の値（＝７）を下回った場合に、受信評価値をさらに下げる。それにより、受信評価値が一定の値を下回った場合には、その一定の値よりもさらに下の値となるので、その後受信評価値が増加してもその一定の値に戻るまでに時間がかかり、その結果、比較対象となる受信評価値を上回るまでに時間がかかるので、選局の切り替えが頻繁に起こることを防止することができる。
【００６８】
ＲＳＳＩが閾値以上の値と判定された場合、ＰＩ（サービスＩＤ）が取得できるか否かを判定する（ステップＳ３３）。ＰＩが取得できると判定された場合、受信評価値を２加える（ステップＳ３４）。そして、受信評価値が１５より大きくなるか否かを判定し、１５より大きくなる場合は受信評価値を１５とする。
【００６９】
ＰＩが取得できないと判定された場合、受信評価値を１加える（ステップＳ３５）。そして、受信評価値が１５より大きくなるか否かを判定し、１５より大きくなる場合は受信評価値を１５とする。このように、ＲＳＳＩの値とＰＩの取得状況に基づき、アナログラジオの受信評価値の更新処理を行う。
【００７０】
以上、受信評価部３００による受信評価値の更新処理について説明したが、更新された受信評価値を基に、選局部１３０は選局処理を行う。この選局処理のフローチャートについて、図６を参照して説明する。
【００７１】
図６は、選局処理を説明するフローチャートである。選局部１３０は、受信評価部３００との間の通信処理により、更新された受信評価値を受け取る。そして、データベース３５０内の１番目のサービスを監視する（ステップＳ４０）。受信評価情報４２０は、サービスＩＤごとに、受信評価値の順に並べられてデータベース３５０に記憶されているので、受信評価値が最も高いサービスが１番目に並べられている。
【００７２】
そして、選局部１３０は、この受信評価値が最も高いサービスについて、受信評価値が７以上か否かを判定する（ステップＳ４１）。受信評価値が７未満の場合は、現在のサービスを継続し、この選局処理を終了する。
【００７３】
受信評価値が７以上の場合は、シームレスリンクの切り替えが可能か否かを判定する（ステップＳ４２）。つまり、サービス間のタイミングのずれがないか否かを確認の上切り替えを行う。切り替え可能な場合は、シームレスリンク切り替えを実行し、切り替え可能でない場合は、マニュアル操作にてサービスの切り替えを行う。
【００７４】
以上のように構成することにより、アンテナ１０１から受信したＤＡＢ放送、アンテナ２０１、アンテナ２０２から受信したＦＭ放送について品質に関する情報を受信評価部３００に送る。そして受信評価部３００は受信評価情報４２０を生成、更新するとともに、受信評価値を生成、更新する。受信評価値は第１の受信部１００、第２の受信部２００に送り返され、受信評価値を基に同一のサービスＩＤの放送のうち、デジタル信号とアナログ信号のうち信頼度の高い高品質な放送を選択する。
【００７５】
この構成によれば、アナログ放送及びデジタル放送の複数の放送波ごとに受信評価値が求められ、受信評価値を基に選局するので、デジタル放送のみならずアナログ放送についても受信品質が評価される。アナログ放送及びデジタル放送の両方の評価に基づいて選局されるので、高い品質で受信できる放送波を決定することができるとともに、安定した選局の切り替えを実現することができる。
【００７６】
特に、所定のデジタル放送について第１の選局用受信部１１０と第１のバックスキャン用受信部１２０により、選局している放送の受信とバックスキャンとしての受信をともに行うことができ、所定のアナログ放送について第２の選局用受信部２１０と第２のバックスキャン用受信部２６０により、選局している放送の受信とバックスキャンとしての受信をともに行うことができる。したがって、デジタル放送とアナログ放送のそれぞれについて、バックスキャンによる受信品質の評価を行いつつ、選局している放送の受信を並行して行うことができる。
【００７７】
また新たな受信評価値の生成には、前回の受信評価値が反映されるので、受信評価値が安定し、選局の切り替えが不安定になるのを防ぐことができる。そして単一の評価項目ではなく、評価項目を複合的に用いることにより、受信評価値を求めるので、受信評価値の算出精度が上がり、高い品質で受信できる放送波を決定することができる。
【００７８】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００７９】
前記実施の形態では、ＤＡＢラジオ放送とＦＭラジオ放送を受信するラジオ受信端末を対象として説明されているが、本発明は、特にこれらに限定することなく、ＤＡＢラジオ放送に限られないデジタル放送、ＦＭラジオ放送に限られないアナログ放送を受信する受信装置全般に適用することができる。
【符号の説明】
【００８０】
１００…第１の受信部
１０１…アンテナ
１１０…第１の選局用受信部
１１１…チューナー
１１２…処理部
１２１…チューナー
１２２…処理部
１２０…第１のバックスキャン用受信部
１３０…選局部
２００…第２の受信部
２０１…アンテナ
２０２…アンテナ
２０４…オーディオ処理部
２１０…第２の選局用受信部
２１１…チューナー
２１３…チューナー
２６０…第２のバックスキャン用受信部
２６１…チューナー
２６２…処理部
３００…受信評価部
３１０…ＤＡＢ制御部
３２０…ＦＭ／ＡＭ制御部
３３０…バックスキャン制御部
３４０…データベース管理部
３５０…データベース
３６０…オーディオ出力部
４００…受信品質情報
４１０…受信品質情報
４２０…受信評価情報
【図１】
2017028425.tif 000003
【図２】
2017028425.tif 000004
【図３】
2017028425.tif 000005
【図４】
2017028425.tif 000006
【図５】
2017028425.tif 000007
【図６】
2017028425.tif 000008